(57)【要約】【課題】より暖房性能を向上させることができる床暖房パネルを提供する。【解決手段】本発明に係る床暖房パネルは、基材と、基材に取り付けられ、熱媒体が流れる１つの流路を形成するパイプとを有する床暖房パネルであって、パイプは、直線部と曲線部とを交互に備える第１蛇行部と第２蛇行部とを有し、第１蛇行部の曲線部と第２蛇行部の曲線部とは、平面視において、それらの一部が互いに重なり合うように配置され、第１蛇行部の直線部と第２蛇行部の直線部とは、平面視において互いにずれて配置されている。【選択図】図１
2019194517.tif 000002
【特許請求の範囲】
【請求項１】
基材と、
前記基材に取り付けられ、熱媒体が流れる１つの流路を形成するパイプと、
を有する床暖房パネルであって、
前記パイプは、直線部と曲線部とを交互に備える第１蛇行部と第２蛇行部とを有し、
前記第１蛇行部の曲線部と前記第２蛇行部の曲線部とは、平面視において、それらの一部が互いに重なり合うように配置され、
前記第１蛇行部の直線部と前記第２蛇行部の直線部とは、平面視において互いにずれて配置されている、床暖房パネル。
【請求項２】
前記第１蛇行部の直線部と前記第２蛇行部の直線部との最小間隔が前記パイプの最小曲げ半径以下である、請求項１に記載の床暖房パネル。
【請求項３】
前記基材の外面には、前記基材の輻射率よりも高い輻射率を有する輻射層が設けられている、請求項１又は２に記載の床暖房パネル。
【請求項４】
前記基材は、柔軟性を有するシート状の部材である、請求項１〜３のいずれか１つに記載の床暖房パネル。
【請求項５】
前記パイプは、平面視において、
前記第１蛇行部の直線部及び曲線部と前記第２蛇行部の直線部及び曲線部とに囲まれた閉塞領域と、
前記閉塞領域に隣接し且つ前記第１蛇行部の直線部と前記第２蛇行部の直線部とに挟まれた領域であって、一端部が前記第１蛇行部の曲線部及び前記第２蛇行部の曲線部によって閉塞される一方で、他端部が開放されている第１開放領域と、
前記閉塞領域に隣接し且つ前記第１蛇行部の直線部と前記第２蛇行部の直線部とに挟まれた領域であって、他端部が前記第１蛇行部の曲線部及び前記第２蛇行部の曲線部によって閉塞される一方で、一端部が開放されている第２開放領域と、
を有するように設けられ、
前記第１開放領域と前記第２開放領域とは、前記第１蛇行部の直線部と交差する方向に前記閉塞領域を介して交互に位置するように設けられている、
請求項４に記載の床暖房パネル。
【請求項６】
前記パイプの少なくとも一部を覆うように前記基材に貼り付けられたカバー部材を有する、請求項１〜５のいずれか１つに記載の床暖房パネル。
【請求項７】
床材に対して下方から基材を取り付ける工程と、
前記基材に対して、熱媒体が流れる１つの流路を形成するパイプを取り付ける工程と、
を含み、
前記パイプは、直線部と曲線部とを交互に備える第１蛇行部と第２蛇行部とを有し、
前記第１蛇行部の曲線部と前記第２蛇行部の曲線部とは、平面視において、それらの一部が互いに重なり合うように配置され、
前記第１蛇行部の直線部と前記第２蛇行部の直線部とは、平面視において互いにずれて配置される、床暖房パネルの設置方法。
【発明の詳細な説明】
【技術分野】
【０００１】
本発明は、床暖房パネル及びその設置方法に関する。
【背景技術】
【０００２】
従来、既存の住宅に床暖房パネルを設置する方法として、一般的に、既設のフローリング又は畳をはがして床暖房パネルを設置し、フローリング又は畳を貼り直すという方法が行われている。
【０００３】
しかしながら、この方法では、家具などのフローリング又は畳の上にあるもの全てを邪魔にならないように移動させる必要がある。また、近年、畳がなくフローリングだけの住宅が増えている。畳に比べてフローリングは、はがす手間が大きいとともに再利用が困難である。また、特に、築年数が浅い住宅に床暖房パネルを設置する場合には、比較的に新しいフローリングを取り替えることになり、当該フローリングを無駄にしてしまうことになり得る。
【０００４】
これに対して、床下から床暖房パネルを設置する方法が検討されている（例えば、特許文献１参照）。この方法によれば、既設のフローリングを剥がす必要性を無くすことができる。
【先行技術文献】
【特許文献】
【０００５】
【特許文献１】特開２００２−２５７３６３号公報
【発明の概要】
【発明が解決しようとする課題】
【０００６】
しかしながら、住宅の床材は人や家具などの荷重を受ける部分であるので、床材の厚さを薄くするのには限界がある。このため、床下から床暖房パネルを設置する場合、厚さのある床材を介して床暖房パネルで発生した熱を放熱することになるので、暖房性能が低くなる。このため、床下から床暖房パネルを設置する方法は、現実的にはあまり普及していない。
【０００７】
本発明の目的は、前記課題を改善することにあって、より暖房性能を向上させることができる床暖房パネル及びその設置方法を提供することにある。
【課題を解決するための手段】
【０００８】
前記目的を達成するために、本発明の一態様に係る床暖房パネルは、
基材と、
基材に取り付けられ、熱媒体が流れる１つの流路を形成するパイプと、
を有する床暖房パネルであって、
パイプは、直線部と曲線部とを交互に備える第１蛇行部と第２蛇行部とを有し、
第１蛇行部の曲線部と第２蛇行部の曲線部とは、平面視において、それらの一部が互いに重なり合うように配置され、
第１蛇行部の直線部と第２蛇行部の直線部とは、平面視において互いにずれて配置される。
【０００９】
また、前記目的を達成するために、本発明の一態様に係る床暖房パネルの設置方法は、
床材に対して下方から基材を取り付ける工程と、
基材に対して、熱媒体が流れる１つの流路を形成するパイプを取り付ける工程と、
を含み、
パイプは、直線部と曲線部とを交互に備える第１蛇行部と第２蛇行部とを有し、
第１蛇行部の曲線部と第２蛇行部の曲線部とは、平面視において、それらの一部が互いに重なり合うように配置され、
第１蛇行部の直線部と第２蛇行部の直線部とは、平面視において互いにずれて配置される。
【発明の効果】
【００１０】
本発明の一態様に係る床暖房パネル及びその設置方法によれば、暖房性能を向上させることができる。
【図面の簡単な説明】
【００１１】
【図１】本発明の実施形態に係る床暖房パネルの概略構成を示す平面図である。
【図２】図１のＡ１―Ａ１線断面図である。
【図３】図１の床暖房パネルにおける、閉塞領域と第１開放領域と第２開放領域との位置関係を示す平面図である。
【図４】図１の床暖房パネルの一部拡大斜視図である。
【図５】図１の床暖房パネルの第１変形例を示す平面図である。
【図６】図１の床暖房パネルの第２変形例を示す平面図である。
【図７】図６のＡ２−Ａ２線断面図である。
【図８】図１の床暖房パネルの第３変形例を示す平面図である。
【図９】図８のＡ３−Ａ３線断面図である。
【図１０】図１の床暖房パネルの第４変形例を示す平面図である。
【発明を実施するための形態】
【００１２】
本発明の第１態様によれば、基材と、
前記基材に取り付けられ、熱媒体が流れる１つの流路を形成するパイプと、
を有する床暖房パネルであって、
前記パイプは、直線部と曲線部とを交互に備える第１蛇行部と第２蛇行部とを有し、
前記第１蛇行部の曲線部と前記第２蛇行部の曲線部とは、平面視において、それらの一部が互いに重なり合うように配置され、
前記第１蛇行部の直線部と前記第２蛇行部の直線部とは、平面視において互いにずれて配置されている、床暖房パネルを提供する。
【００１３】
本発明の第２態様によれば、前記第１蛇行部の直線部と前記第２蛇行部の直線部との最小間隔が前記パイプの最小曲げ半径以下である、第１態様又は第２態様に記載の床暖房パネルを提供する。
【００１４】
本発明の第３態様によれば、前記基材の外面には、前記基材の輻射率よりも高い輻射率を有する輻射層が設けられている、第１又は２態様に記載の床暖房パネルを提供する。
【００１５】
本発明の第４態様によれば、前記基材は、柔軟性を有するシート状の部材である、第１〜３態様のいずれか１つに記載の床暖房パネルを提供する。
【００１６】
本発明の第５態様によれば、前記パイプは、平面視において、
前記第１蛇行部の直線部及び曲線部と前記第２蛇行部の直線部及び曲線部とに囲まれた閉塞領域と、
前記閉塞領域に隣接し且つ前記第１蛇行部の直線部と前記第２蛇行部の直線部とに挟まれた領域であって、一端部が前記第１蛇行部の曲線部及び前記第２蛇行部の曲線部によって閉塞される一方で、他端部が開放されている第１開放領域と、
前記閉塞領域に隣接し且つ前記第１蛇行部の直線部と前記第２蛇行部の直線部とに挟まれた領域であって、他端部が前記第１蛇行部の曲線部及び前記第２蛇行部の曲線部によって閉塞される一方で、一端部が開放されている第２開放領域と、
を有するように設けられ、
前記第１開放領域と前記第２開放領域とは、前記第１蛇行部の直線部と交差する方向に前記閉塞領域を介して交互に位置するように設けられている、第４態様に記載の床暖房パネルを提供する。
【００１７】
本発明の第６態様によれば、前記パイプの少なくとも一部を覆うように前記基材に貼り付けられたカバー部材を有する、第１〜５態様のいずれか１つに記載の床暖房パネルを提供する。
【００１８】
本発明の一態様によれば、
床材に対して下方から基材を取り付ける工程と、
前記基材に対して、熱媒体が流れる１つの流路を形成するパイプを取り付ける工程と、
を含み、
前記パイプは、直線部と曲線部とを交互に備える第１蛇行部と第２蛇行部とを有し、
前記第１蛇行部の曲線部と前記第２蛇行部の曲線部とは、平面視において、それらの一部が互いに重なり合うように配置され、
前記第１蛇行部の直線部と前記第２蛇行部の直線部とは、平面視において互いにずれて配置される、床暖房パネルの設置方法を提供する。
【００１９】
以下、本発明の実施形態について、図面を参照しながら説明する。なお、本発明は、以下の実施形態によって限定されるものではない。
【００２０】
（実施形態）
図１は、本発明の実施形態に係る床暖房パネルの概略構成を示す平面図である。図２は、図１のＡ１−Ａ１線断面図である。
【００２１】
図１に示すように、本実施形態に係る床暖房パネル１は、基材の一例である放熱シート２と、パイプ３と、カバー部材の一例であるカバーシート４とを有している。
【００２２】
放熱シート２は、パイプ３の内部を流れる温水や温風などの熱媒体から熱を受けて、当該熱を外部に放熱する柔軟性を有するシート状の部材である。放熱シート２の外形は、例えば矩形である。放熱シート２の寸法は、例えば８００ｍｍ×８００ｍｍである。放熱シート２は、熱伝導率が高い材料、例えばアルミニウムなどの金属によって構成されている。
【００２３】
図２に示すように、放熱シート２の外面２ａ（パイプ３が配置される表面とは反対側の面）には、放熱シート２の輻射率よりも高い輻射率を有する輻射層５が設けられている。本実施形態において、輻射層５は、遠赤外線の輻射率が放熱シート２よりも高くなるように、放熱シート２の外面２ａに焼付け塗布等により形成された黒色塗料によって構成されている。床暖房パネル１を床下に設置する際、床暖房パネル１は、輻射層５が床材に接触するように取り付けられる。
【００２４】
パイプ３は、放熱シート２の内面２ｂ上に配置されている。パイプ３の内部には、熱媒体が流れる１つの流路が形成されている。パイプ３の一端部には、熱媒体が供給される熱媒体入口３Ａが形成されている。パイプ３の他端部には、熱媒体を排出する熱媒体出口３Ｂが形成されている。本実施形態において、熱媒体入口３Ａと熱媒体出口３Ｂとは、放熱シート２の第１コーナー部２Ａの近傍に配置されている。
【００２５】
パイプ３は、第１蛇行部３１と第２蛇行部３２とを有している。本実施形態において、第１蛇行部３１は、放熱シート２の第１コーナー部２Ａから、当該第１コーナー部２Ａとは対角に位置する第２コーナー部２Ｂへ蛇行しながら向かう熱媒体の流れの「往路」を形成する部分である。第２蛇行部３２は、放熱シート２の第２コーナー部２Ｂから第１コーナー部２Ａへ蛇行しながら向かう「復路」を形成する部分である。本実施形態において、第１蛇行部３１と第２蛇行部３２とは、第２コーナー部２Ｂの近傍に位置する接続点（折り返し点ともいう）Ｃ１で互いに接続されている。
【００２６】
第１蛇行部３１は、直線部３１ａと曲線部３１ｂとを交互に有している。より具体的には、第１蛇行部３１は、互いに並列に配置された複数の直線部３１ａと、互いに隣接する直線部３１ａの一端部同士又は他端部同士を接続する複数の曲線部３１ｂとを備えている。ここでは、直線部３１ａの延在方向をＸ方向という。また、複数の直線部３１ａの配列方向（Ｘ方向と交差する方向）をＹ方向という。また、Ｘ方向及びＹ方向に対して直交する放熱シート２の厚さ方向をＺ方向という。
【００２７】
第２蛇行部３２は、直線部３２ａと曲線部３２ｂとを交互に有している。より具体的には、第２蛇行部３２は、互いに並列に配置された複数の直線部３２ａと、互いに隣接する直線部３２ａの一端部同士又は他端部同士を接続する複数の曲線部３２ｂとを備えている。
【００２８】
第２蛇行部３２の複数の直線部３２ａは、Ｙ方向に並列に配置されている。また、第１蛇行部３１の直線部３１ａと第２蛇行部３２の直線部３２ａとは、平面視において互いにＹ方向にずれて配置されている。すなわち、第１蛇行部３１の直線部３１ａと第２蛇行部３２の直線部３２ａとは、平面視において、Ｙ方向に交互に配置（一部を除く）されている。
【００２９】
第１蛇行部３１の曲線部３１ｂ及び第２蛇行部３２の曲線部３２ｂは、それぞれ円弧状に曲げられた部分である。曲線部３１ｂ，３２ｂの曲げ半径Ｒ１は、パイプ３の材質、直径等に基づいてあらかじめ規定されている最小曲げ半径以上に設定されている。パイプ３は、意図しない外力が加えられたときに屈曲して破損等しないように、比較的硬質な材料で構成されている。本実施形態において、パイプ３は、例えば、ポリエチレン、ポリブテンなどの樹脂製のパイプである。パイプ３は、パイプ３の内径は、例えば７ｍｍである。パイプ３の外径は、例えば１０ｍｍである。パイプ３の最小曲げ半径（曲げ中心からパイプの中心までの距離）は、例えば１０ｃｍである。曲線部３１ｂ，３２ｂの曲げ半径Ｒ１は、１０ｃｍである。
【００３０】
第１蛇行部３１の直線部３１ａと第２蛇行部３２の直線部３２ａとは、最小間隔Ｐ１がパイプ３の最小曲げ半径以下になるように配置されている。この配置を実現するため、第１蛇行部３１の曲線部３１ｂと第２蛇行部３２の曲線部３２ｂとは、平面視において、それらの一部が互いに重なり合うように配置されている。すなわち、図３に示すように、第１蛇行部３１の曲線部３１ｂと第２蛇行部３２の曲線部３２ｂとは、Ｚ方向に重なるように配置されている。
【００３１】
また、パイプ３は、図４に示すように、平面視において、閉塞領域Ｅ１と、第１開放領域Ｅ２と、第２開放領域Ｅ３とを有するように配置されている。「閉塞領域Ｅ１」とは、図４では斜線で示す領域であり、第１蛇行部３１の直線部３１ａ及び曲線部３１ｂと第２蛇行部３２の直線部３２ａ及び曲線部３２ｂとに囲まれた領域である。「第１開放領域Ｅ２」とは、閉塞領域Ｅ１に隣接し且つ第１蛇行部３１の直線部３１ａと第２蛇行部３２の直線部３２ａとに挟まれた領域であって、一端部が第１蛇行部３１の曲線部３１ｂ及び第２蛇行部３２の曲線部３２ｂによって閉塞される一方で、他端部が開放されている領域である。「第２開放領域Ｅ３」とは、閉塞領域Ｅ１に隣接し且つ第１蛇行部３１の直線部３１ａと第２蛇行部３２の直線部３２ａとに挟まれた領域であって、他端部が第１蛇行部３１の曲線部３１ｂ及び第２蛇行部３２の曲線部３２ｂによって閉塞される一方で、一端部が開放されている領域である。第１開放領域Ｅ２と第２開放領域Ｅ３とは、Ｙ方向に閉塞領域Ｅ１を介して交互に位置するように設けられている。
【００３２】
カバーシート４は、パイプ３の少なくとも一部を覆うシート状の部材である。カバーシート４の厚さは、パイプ３の直径よりも小さく設定されている。カバーシート４の外形は、例えば矩形である。カバーシート４の寸法は、例えば８００ｍｍ×６５０ｍｍである。カバーシート４は、熱伝導率が高い材料、例えばアルミニウムによって構成されている。
【００３３】
本実施形態において、カバーシート４は、第１蛇行部３１の複数の直線部３１ａと第２蛇行部３２の複数の直線部３２ａとに密着して覆うように設けられている。一方、カバーシート４は、第１蛇行部３１の複数の曲線部３１ｂと第２蛇行部３２の複数の曲線部３２ｂとを露出させるように設けられている。これにより、曲線部３１ｂ，３２ｂは、カバーシート４によってＹ方向の移動を規制されないので、放熱シート２及びカバーシート４をＹ方向に丸めるように変形（湾曲）させる際に、曲線部３１ｂ，３２ｂが当該変形を阻害することを抑えることができる。
【００３４】
本実施形態に係る床暖房パネル１によれば、第１蛇行部３１の曲線部３１ｂと第２蛇行部３２の曲線部３２ｂとは、平面視においてそれらの一部が互いに重なり合うように配置されている。また、第１蛇行部３１の直線部３１ａと第２蛇行部３２の直線部３２ａとは、平面視において互いにずれて配置されている。これにより、パイプ３の設置密度を向上（例えば、従来の約２倍）させることができるので、より暖房性能を向上させることができる。
【００３５】
なお、住宅の床下は、人や家具などの荷重を受けない部分であるので、第１蛇行部３１の曲線部３１ｂと第２蛇行部３２の曲線部３２ｂとをＺ方向に重なるように配置しても、当該曲線部３１ｂ，３２ｂに過度な負荷がかかることはない。また、住宅の床下は、空間が通常設けられているので、第１蛇行部３１の曲線部３１ｂと第２蛇行部３２の曲線部３２ｂとをＺ方向に重ねることによって床暖房パネル１の厚さが厚くなった場合でも、他の部材に与える影響を抑えることができる。
【００３６】
また、本実施形態に係る床暖房パネル１によれば、第１蛇行部３１の直線部３１ａと第２蛇行部３２の直線部３２ａとの最小間隔Ｐ１がパイプの最小曲げ半径以下に設定されている。これにより、パイプ３の設置密度を向上させることができるので、より暖房性能を向上させることができる。
【００３７】
また、本実施形態に係る床暖房パネル１によれば、放熱シート２の外面２ａには、放熱シート２の輻射率よりも高い輻射率を有する輻射層５が設けられている。これにより、パイプ３の内部を流れる熱媒体の熱を、輻射効果によって床上の空間に放熱することができ、より暖房性能を向上させることができる。
【００３８】
また、本実施形態に係る床暖房パネル１によれば、放熱シート２とカバーシート４とが柔軟性を有するシート状の部材であるので、それらを丸めて（湾曲させて）平面視における横幅を小さくすることができる。これにより、例えば、サイズが６００ｍｍ×６００ｍｍである床下収納庫用の開口部から床下に床暖房パネル１を搬入することができ、設置工事を容易にすることができる。
【００３９】
また、本実施形態に係る床暖房パネル１によれば、第１開放領域Ｅ２と第２開放領域Ｅ３とが、Ｙ方向に閉塞領域Ｅ１を介して交互に位置するように設けられている。第１開放領域Ｅ２の曲線部３１ｂ及び第２開放領域Ｅ３の曲線部３２ｂが設けられていない部分は変形させやすいので、放熱シート２及びカバーシート４を丸めて（湾曲させて）平面視における横幅を一層小さくすることができる。これにより、例えば、サイズが６００ｍｍ×６００ｍｍである床下収納庫用の開口部から床下に床暖房パネル１をより容易に搬入することができ、設置工事を一層容易にすることができる。
【００４０】
なお、床暖房パネル１は、例えば、以下のようにして床下に設置することができる。
【００４１】
まず、床材の下方の既存の断熱材を取り外す。
次いで、既存の断熱材を取り外した位置に、床暖房パネル１を、輻射層５を上側にして配置し、ねじ等の締結部材で床材に固定する。
次いで、取り外した断熱材で床暖房パネル１をカバーシート４側から覆う。
【００４２】
このような設置方法によれば、カバーシート４の表面がパイプ３の太さによって凹凸を有するので、断熱材と床暖房パネル１との接触面積が小さくなり、それらの間には隙間（空気層）が形成されることになる。当該隙間が断熱材と共に断熱層として機能し、床暖房パネル１の下方への放熱が一層抑えられる。これにより、床暖房パネル１の上方への放熱を増加させて、より一層暖房性能を向上させることができる。
【００４３】
なお、床暖房パネル１は、放熱シート２とカバーシート４とによりパイプ３を挟んだ構造である。このため、放熱シート２とカバーシート４とが接触している部分は、断熱材や剛性を有する部材がなく、薄くなっている。このため、当該部分をねじ等の締結部材で床材に固定する際に、締結部材が当該部分を貫通してしまうことが起こり得る。このため、図５に示すように、放熱シート２及びカバーシート４のパイプ３が配置されていない部分に、複数枚の板材６を設けてもよい。これにより、床暖房パネル１をねじ等の締結部材で床材に、より安定して固定することができる。なお、板材６は、床暖房パネル１の搬送を容易にするため、軽量で且つ柔軟性を有する部材であることが好ましい。このような部材として、例えば、中比重繊維板（ＭＤＦ）が挙げられる。
【００４４】
なお、本発明は前記実施形態に限定されるものではなく、その他種々の態様で実施できる。例えば、前記では、パイプ３が第１蛇行部３１と第２蛇行部３２とを有し、第１蛇行部３１の直線部３１ａと第２蛇行部３２の直線部３２ａとが平面視において互いにずれて配置されるものとしたが、本発明はこれに限定されない。例えば、パイプ３が３以上の蛇行部を有し、それらの曲線部の一部が平面視において互いに重なり合うように配置され、それらの直線部が平面視において互いにずれて配置されてもよい。この構成によれば、パイプ３の設置密度を一層向上させることができるので、より一層暖房性能を向上させることができる。
【００４５】
また、前記では、基材の一例として柔軟性を有する放熱シート２を用いたが、本発明はこれに限定されない。例えば、基材として剛性を有する部材（例えば、パーティクルボード等の木質材や金属板）を用いてもよい。この場合でも、パイプ３が第１蛇行部３１と第２蛇行部３２とを備えることで、パイプ３の設置密度を向上させることができるので、より暖房性能を向上させることができる。
【００４６】
また、前記では、カバー部材の一例として柔軟性を有するカバーシート４を用いたが、本発明はこれに限定されない。例えば、カバー部材として剛性を有する部材を用いてもよい。この場合でも、パイプ３が第１蛇行部３１と第２蛇行部３２とを備えることで、パイプ３の設置密度を向上させることができるので、より暖房性能を向上させることができる。
【００４７】
また、前記では、放熱シート２の外面２ａに輻射層５を設けたが、本発明はこれに限定されない。輻射層５は、必ずしも設ける必要はない。なお、放熱シート２が金属製シートである場合、当該金属製シートに塗料を定着させ難い。このため、輻射層５を構成する黒色塗料には樹脂が混ぜ込まれていることが好ましい。これにより、放熱シート２が金属製シートである場合であっても、当該金属製シートに黒色塗料を定着させやすくすることができる。なお、この場合、樹脂が断熱効果を有するために伝熱性能が低下するが、輻射層５は、輻射効果によって床上の空間に放熱するためのものであるので、暖房性能の向上に与える影響は少ない。また、床暖房パネル１の伝熱性能が過度に高いことにより、床材の表面と裏面との温度差が大きくなると、床材が反って固定部材が外れてしまうことが起こり得る。前記のように、黒色塗料に樹脂を混ぜることにより、床暖房パネル１の伝熱性能が過度に高くなることを抑えることができる。
【００４８】
また、前記では、放熱シート２の平坦な内面２ｂ上にパイプ３を配置し、当該パイプ３の直線部３１ａ及び直線部３２ａの全体を覆うようにカバーシート４を配置したが、本発明はこれに限定されない。例えば、図６及び図７に示すように、放熱シート１０２の内面１０２ｂにパイプ３を収容する溝２１を設け、溝２１からパイプ３が抜け出ないように複数のカバーシート１０４を取り付けるように構成してもよい。この場合、溝２１は、放熱シート１０２の内面１０２ｂ側から外面１０２ａに向けて凹むように設けられる。溝２１の形状は、平面視において、パイプ３の第１蛇行部３１及び第２蛇行部３２の形状と略一致している。カバーシート１０４は、例えば、粘着テープである。カバーシート１０４は、溝２１に配置されたパイプ３における第１蛇行部３１の直線部３１ａ又は第２蛇行部３２の直線部３２ａを覆うように放熱シート１０２に貼り付けられる。この構成によれば、カバーシート１０４のサイズを小さくすることができ、製造コストを削減することができる。
【００４９】
なお、図６では、カバーシート１０４が直線部３１ａ又は直線部３２ａの全長に渡って覆うように放熱シート１０２に貼り付けられるものとしたが、本発明はこれに限定されない。本発明に係る床暖房パネルは床下に設置されるものであり、設置後に床暖房パネルに対して外力が加わることが通常想定されない。このため、カバーシート１０４は、パイプ３が放熱シート２の溝２１から抜け出ることを抑えられればよい。例えば、カバーシート１０４は、直線部３１ａ又は直線部３２ａの一部又は複数箇所を覆うように放熱シート１０２に貼り付けられてもよい。この構成によれば、カバーシート１０４のサイズを一層小さくすることができ、製造コストを一層削減することができる。
【００５０】
また、カバーシート４，１０４を用いずにパイプ３を放熱シート２，１０２に保持させるように構成してもよい。例えば、図８及び図９に示すように、溝２１の開口付近の側面において、Ｘ方向に間隔を空けて複数対の突起部２１ａを設け、当該複数対の突起部２１ａでパイプ３が放熱シート２の溝２１から抜け出ることを抑えるように構成してもよい。この場合、一対の突起部２１ａの隙間は、パイプ３の直径よりも狭くすればよい。一対の突起部２１ａの隙間を通じてパイプ３を溝２１内に押し込むことで、パイプ３が溝２１内で保持される。この構成によれば、カバーシートを不要にすることができるので、床暖房パネルの構成部品を減らすことができる。なお、突起部２１ａは、対に配置される必要はなく、例えば、溝２１の一方の側面にのみ設けられてもよい。
【００５１】
また、例えば、パイプ３を放熱シート１０２の溝２１に接着剤で貼り付けてもよい。
【００５２】
また、例えば、図１０に示すように、直線部３１ａ及び直線部３１ａに対して交差するように、放熱シート２に複数の切り込み２２を設け、当該複数の切り込み２２を通じて放熱シート２を縫うようにパイプ３を取り付けてもよい。この構成によれば、カバーシートを不要にすることができるので、床暖房パネルの構成部品を減らすことができる。
【００５３】
また、前記では、組み立てられた床暖房パネル１を床下に設置する方法について説明したが、本発明はこれに限定されない。例えば、以下のように床下で組み立てながら床暖房パネル１を設置してもよい。
【００５４】
まず、床材の下方の既存の断熱材を取り外す。
次いで、既存の断熱材を取り外した位置に、放熱シート２を配置し、ねじ等の締結部材で床材に対して下方から放熱シート２を取り付ける。
次いで、第１蛇行部３１と第２蛇行部３２を有するようにパイプ３を放熱シート２に配置する。
次いで、パイプ３の少なくとも一部を覆ってカバーシート４を配置する。なお、カバーシート４を設けない場合は、この工程は省略される。
次いで、取り外した断熱材で床暖房パネル１を覆う。
【００５５】
なお、床材に対して下方から放熱シート２を取り付ける前に、放熱シート２に対してパイプ３をあらかじめ取り付けてもよい。
【００５６】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【００５７】
本発明に係る床暖房パネルによれば、より暖房性能を向上させることができるので、特に、床下に設置する床暖房パネルとして有用である。
【符号の説明】
【００５８】
１：床暖房パネル、２，１０２：放熱シート（基材）、２Ａ：第１コーナー部、２Ｂ：第２コーナー部、２ａ，１０２ａ：外面、２ｂ，１０２ｂ：内面、３：パイプ、３Ａ：熱媒体入口、３Ｂ：熱媒体出口、４，１０４：カバーシート（カバー部材）、５：輻射層、６：板材、２１：溝、２１ａ：突起部、２２：切り込み、３１：第１蛇行部、３１ａ：直線部、３１ｂ：曲線部、３２：第２蛇行部、３２ａ：直線部、３２ｂ：曲線部、Ｃ１：接続点（折り返し点）、Ｅ１：閉塞領域、Ｅ２：第１開放領域、Ｅ３：第２開放領域、Ｐ１：最小間隔、Ｒ１：曲げ半径
【図１】
2019194517.tif 000003
【図２】
2019194517.tif 000004
【図３】
2019194517.tif 000005
【図４】
2019194517.tif 000006
【図５】
2019194517.tif 000007
【図６】
2019194517.tif 000008
【図７】
2019194517.tif 000009
【図８】
2019194517.tif 000010
【図９】
2019194517.tif 000011
【図１０】
2019194517.tif 000012